(57)【要約】【課題】レンズの取付状態を容易且つ精度よく調整できるレンズ鏡筒を提供する。【解決手段】レンズ鏡筒１は、１群レンズ１１が取り付けられる１群レンズ枠３と、１群レンズ枠３が取り付けられる１群ホルダ４と、１群レンズ枠３の１群ホルダ４への取付位置を調整する位置調整機構７とを備えている。位置調整機構７は、１群レンズ枠３を光軸Ｘに直交する平面内で、進退自在且つ回転自在に支持する回転軸７１と、１群レンズ枠３に当接して設けられ、回転操作されることで１群レンズ枠３を押圧して光軸Ｘに直交する平面内で移動させる第１カム７２と、１群レンズ枠３の、第１カム７２とは異なる部分に当接して設けられ、回転操作されることで１群レンズ枠３を押圧して光軸Ｘに直交する平面内で移動させる第２カム７３とを有している。【選択図】図８
2010256567.tif 000002
【特許請求の範囲】
【請求項１】
レンズを光軸方向に移動可能に構成されたレンズ鏡筒であって、
レンズが取り付けられるレンズ取付部材と、
上記レンズ取付部材が取り付けられる基材と、
上記レンズ取付部材の上記基材への取付位置を調整する位置調整機構とを備え、
上記位置調整機構は、
上記レンズ取付部材を上記光軸に直交する平面内で、進退自在且つ回転自在に支持する支持部と、
上記レンズ取付部材に当接して設けられ、回転操作されることで該レンズ取付部材を押圧して上記光軸に直交する平面内で移動させる第１カムと、
上記レンズ取付部材の、上記第１カムとは異なる部分に当接して設けられ、回転操作されることで該レンズ取付部材を押圧して上記光軸に直交する平面内で移動させる第２カムとを有しているレンズ鏡筒。
【請求項２】
請求項１に記載のレンズ鏡筒において、
上記支持部は、上記基材に設けられた回転軸と、上記レンズ取付部材に形成されて該回転軸に係合する長孔とを有し、該レンズ取付部材を該長孔に沿って進退自在に支持すると共に該回転軸回りに回転自在に支持するレンズ鏡筒。
【請求項３】
請求項２に記載のレンズ鏡筒において、
上記レンズ取付部材のうち上記第１カムが当接する面である第１当接面は、上記長孔が延びる方向と平行となっているレンズ鏡筒。
【請求項４】
請求項１乃至３の何れか１つに記載のレンズ鏡筒において、
上記レンズ取付部材のうち上記第２カムが当接する面である第２当接面は、上記支持部と上記第２カムとを結ぶ方向を向いているレンズ鏡筒。
【請求項５】
請求項１乃至４の何れか１つに記載のレンズ鏡筒において、
上記第２カムは、上記光軸を挟んで上記支持部と対向する位置に設けられているレンズ鏡筒。
【請求項６】
請求項５に記載のレンズ鏡筒において、
上記第１カムは、上記光軸回りの周方向において、上記支持部と上記第２カムとの中間位置に設けられているレンズ鏡筒。
【請求項７】
請求項１乃至６の何れか１つに記載のレンズ鏡筒において、
上記第１及び第２カムは、上記レンズ取付部材と当接する本体部と、該本体部の中心から偏心した位置に設けられた軸部とを有する偏心ピンで構成されているレンズ鏡筒。
【発明の詳細な説明】
【技術分野】
【０００１】
本発明は、レンズ鏡筒に関するものである。
【背景技術】
【０００２】
従来より、レンズ鏡筒は、複数のレンズを備え、これらのレンズを光軸方向に沿って移動させることで、ズーム動作やフォーカス動作を行うように構成されている。
【０００３】
特許文献１に係るレンズ鏡筒においては、複数のレンズが、それぞれ筒状の可動部材に保持され、該可動部材が移動することによって光軸方向に移動するように構成されている。例えば、１群レンズは、保持用の枠体に取り付けられており、該枠体が筒部材の前端部に取り付けられている。この筒部材がカム機構により光軸方向に移動することによって、１群レンズが光軸方向に移動する。
【先行技術文献】
【特許文献】
【０００４】
【特許文献１】特開２００８−８３７３３号公報
【発明の概要】
【発明が解決しようとする課題】
【０００５】
しかしながら、レンズを上記枠体等のレンズ取付部材に取り付ける構成においては、レンズの取り付け精度が問題となる。レンズの取り付け精度が悪いと、レンズ鏡筒の光軸が所望の状態からずれてしまう虞がある。
【０００６】
ここに開示された技術は、かかる点に鑑みてなされたものであり、その目的とするところは、レンズの取付状態を容易且つ精度よく調整できるレンズ鏡筒を提供することにある。
【課題を解決するための手段】
【０００７】
ここに開示されたレンズ鏡筒は、レンズを光軸方向に移動可能に構成されたレンズ鏡筒であって、レンズが取り付けられるレンズ取付部材と、上記レンズ取付部材が取り付けられる基材と、上記レンズ取付部材の上記基材への取付状態を調整する調整機構とを備えている。そして、上記位置調整機構は、上記レンズ取付部材を上記光軸に直交する平面内で、進退自在且つ回転自在に支持する回転軸と、上記レンズ取付部材に当接して設けられ、回転操作されることで該レンズ取付部材を押圧して上記光軸に直交する平面内で移動させる第１カムと、上記レンズ取付部材の、上記第１カムとは異なる部分に当接して設けられ、回転操作されることで該レンズ取付部材を押圧して上記光軸に直交する平面内で移動させる第２カムとを有している。
【発明の効果】
【０００８】
上記レンズ鏡筒によれば、レンズ取付部材の異なる位置に当接した上記第１カム及び第２カムをそれぞれ回転操作することによって、レンズ取付部材を上記回転軸を基準として進退且つ回転させながら、光軸に直交する平面内で移動させることができるため、レンズ取付部材の取付状態、ひいては、レンズの取付状態を容易且つ精度よく調整することができる。
【図面の簡単な説明】
【０００９】
【図１】本実施形態に係るレンズ鏡筒の斜視図である。
【図２】レンズ鏡筒の概略構成を示す概略的な断面図である。
【図３】レンズ鏡筒の正面図である。
【図４】広角撮影状態のレンズ鏡筒の、図３のIV−IV線における断面図である。
【図５】広角撮影状態のレンズ鏡筒の、図３のＶ−Ｖ線における断面図である。
【図６】望遠撮影状態のレンズ鏡筒の、図３のIV−IV線における断面図である。
【図７】レンズ鏡筒の分解斜視図である。
【図８】位置調整機構の拡大図である。
【図９】第１及び第２カムを示す図であって、（Ａ）は正面図で、（Ｂ）は下面図である。
【発明を実施するための形態】
【００１０】
以下、例示的な実施形態を図面に基づいて詳細に説明する。図１は、レンズ鏡筒の斜視図であり、図２は、レンズ鏡筒の概略構成を示す概略的な断面図である。
【００１１】
本実施形態に係るレンズ鏡筒１は、外装部材２と、その内方に配設された１群レンズ１１、２群レンズ１２、３群レンズ１３及び４群レンズ１４を有している。１群レンズ１１は１群レンズ保持部材１５に、２群レンズ１２は２群レンズ保持部材１６に、３群レンズ１３は３群レンズ保持部材１７に、４群レンズ１４は４群レンズ保持部材１８にそれぞれ保持されている。１群〜３群レンズ保持部材１５〜１７は、カム機構又はネジ機構等によって、光軸Ｘ方向の相対直進移動及び光軸Ｘ周りの相対回転運動を相互に連動して行うように構成されている。こうして、１群レンズ１１、２群レンズ１２及び３群レンズ１３は、外装部材２の内方において、光軸Ｘ方向の位置が連動可能に構成されている。
【００１２】
次に、外装部材２について図２〜図５を参照して説明する。図３は、レンズ鏡筒１の正面図（即ち、光軸Ｘ方向から見た図）であり、図４は、広角撮影状態のレンズ鏡筒の、図３のIV−IV線における断面図であり、図５は広角撮影状態のレンズ鏡筒の、図３のＶ−Ｖ線における断面図であり、図６は望遠撮影状態のレンズ鏡筒の、図３のIV−IV線における断面図である。外装部材２は、カメラ本体（図示省略）に取り付けられるレンズベース２１と、レンズベース２１の被写体側に設けられたレンズフード２２とを有している。この外装部材２が筒部材を構成する。以下、被写体側を前側、カメラ本体側を後側ともいう。
【００１３】
レンズベース２１は、円筒状の部材である。レンズベース２１の前端面にレンズフード２２が取り付けられる。また、レンズベース２１の外周面にはフォーカスリング２３とズームリング２４とが外嵌されている。これらフォーカスリング２３とズームリング２４とはそれぞれ独立して、レンズベース２１に対して回転可能に構成されている。これらフォーカスリング２３及びズームリング２４の少なくとも一方を回転させることによって、１群レンズ１１、２群レンズ１２及び３群レンズ１３の全て又は一部を光軸Ｘ方向に移動させて、各レンズを所望の光軸Ｘ方向位置へ配置することができる。
【００１４】
レンズフード２２は、レンズベース２１よりも大径の円筒状の部材である。レンズフード２２の後端部は、後端縁に向かってテーパ状に縮径しているテーパ部２２ａが形成されている。そして、レンズフード２２の後端縁、即ち、テーパ部２２ａの後端縁には半径方向内方に突出するフランジ２２ｂが全周に亘って形成されている。このフランジ２２ｂがレンズベース２１の前端面に取り付けられる。具体的には、レンズフード２２のフランジ２２ｂがレンズベース２１の前端面に対して防塵用のＯリング２５を挟持した状態でネジ止めされる。また、テーパ部２２ａの内周側には、テーパ部２２ａの内周に亘って環状に設けられた段部２２ｃが形成されている。段部２２ｃにおける、前方を向く面には、後述する防塵リング６を取り付けるための取付面２２ｄが形成されている。すなわち、取付面２２ｄの法線方向は、光軸Ｘと平行となるように形成されている。取付面２２ｄには、防塵リング６をネジ止めするためのネジ孔２２ｅ（図５に１つだけ図示）が周方向に間隔を空けて複数形成されている。また、取付面２２ｄの、ネジ孔２２ｅとネジ孔２２ｅとの間の部分には、円弧状の肉盗み部２２ｆが形成されている。
【００１５】
続いて、１群レンズ保持部材１５の構成について説明する。
【００１６】
１群レンズ保持部材１５は、１群レンズ１１が取り付けられる１群レンズ枠３と、該１群レンズ枠３が取り付けられる１群ホルダ４とを有している。この１群レンズ枠３がレンズ取付部材を、１群ホルダ４が基材を構成する。
【００１７】
１群レンズ枠３は、前から後ろへ向かって縮径している円筒状の本体部３０と、本体部３０の前端部に設けられて該本体部３０から半径方向外方に広がるフランジ３１とを有している。本体部３０の内周面には複数の環状の段部が形成されている。
【００１８】
１群レンズ１１は、Ｌ１レンズ１１ａ、Ｌ２レンズ１１ｂ、Ｌ３レンズ１１ｃ、Ｌ４レンズ１１ｄ及びＬ５レンズ１１ｅで構成されている。Ｌ４レンズ１１ｄ、Ｌ３レンズ１１ｃ、Ｌ２レンズ１１ｂ及びＬ１レンズ１１ａが、この順で１群レンズ枠３内へ前側から挿入され、１群レンズ枠３内の対応する段部に設置される。Ｌ１レンズ１１ａが１群レンズ枠３に設置された後、レンズ押さえ部材３７が本体部３０の前端部に前側からネジ締結される。その結果、Ｌ１レンズ１１ａ、Ｌ２レンズ１１ｂ、Ｌ３レンズ１１ｃ及びＬ４レンズ１１ｄが１群レンズ枠３に固定される。一方、Ｌ５レンズ１１ｅは、１群レンズ枠３内へ後側から挿入され、１群レンズ枠３内の対応する段部に設置される。こうして１群レンズ枠３内に配設されたＬ１レンズ１１ａ、Ｌ２レンズ１１ｂ、Ｌ３レンズ１１ｃ、Ｌ４レンズ１１ｄ及びＬ５レンズ１１ｅは、前から後ろに向かってこの順で並んでいる。
【００１９】
フランジ３１には、１群レンズ枠３を１群ホルダ４にネジ止めする際にネジ３４が挿通される３つの貫通孔３２が周方向に間隔を空けて貫通形成されている（図５に１つだけ図示）。また、フランジ３１には、後述する防塵リング６の取付作業を行うための６つの切欠部３３，３３，…が周方向に間隔を空けて形成されている。各切欠部３３は、フランジ３１の半径方向外方に開口すると共にフランジ３１を厚み方向に貫通するように形成されている。
【００２０】
１群ホルダ４は、円筒状の本体部４０と、本体部４０の前端部に設けられた該本体部４０から半径方向外方に広がるフランジ４１とを有している。１群ホルダ４は、上記２群〜４群レンズ保持部材１６〜１８とカム機構等を介して連結されており、フォーカスリング２３及びズームリング２４の少なくとも一方を回転駆動することによって、光軸Ｘ方向に直進移動するように構成されている。
【００２１】
本体部４０の外周面には、フランジ４１の近傍部分において、半径方向外方に突出する突起部４０ａが周方向に沿って形成されている。この本体部４０には、防塵リング６が取り付けられる。上記突起部４０ａには、防塵リング６が係合するようになっている。
【００２２】
フランジ４１は、フランジ３１と同様の環状に形成されている。そして、フランジ４１には、３つのネジ孔４２が周方向に間隔を空けて形成されている（図５に１つだけ図示）。ネジ孔４２には雌ネジが加工されている。このネジ孔４２は、フランジ３１の３つの貫通孔３２に対応する位置に形成されている。また、フランジ４１には、フランジ３１と同様に、防塵リング６の取付作業を行うための６つの切欠部４３が周方向に間隔を空けて形成されている（図５に１つだけ図示）。各切欠部４３は、フランジ４１の半径方向外方に開口すると共にフランジ４１を厚み方向に貫通するように形成されている。フランジ３１とフランジ４１とを重ね合わせたときに、両者の切欠部３３、４３とが重なるように形成されている。
【００２３】
防塵リング６は、環状に形成されたゴム製の環状ゴム６１と、環状に形成された金属製の金属リング６２とを有している。環状ゴム６１は、相対的に小径の筒状部６３と、相対的に大径のフランジ６４と、筒状部６３とフランジ６４とを連結する可撓部６５とを有している。筒状部６３の先端周縁には内側に突出する係合爪部６３ａが全周に亘って形成されている。フランジ６４は、平板状の部材であって、光軸Ｘを中心とした円環状に形成されている。金属リング６２は、環状ゴム６１のフランジ６４と同様の形状をしている。金属リング６２には、防塵リング６をレンズフード２２にネジで取り付ける際にネジが貫通する貫通孔６２ａが周方向に間隔を空けて複数形成されている。この金属リング６２は、フランジ６４の前面に取り付けられている。このように構成された防塵リング６は、筒状部６３が１群ホルダ４の本体部４０に挿通され、係合爪部６３ａが突起部４０ａに係合している。一方、防塵リング６のフランジ６４は、レンズフード２２の取付面２２ｄにネジ６７で取り付けられている。こうして、防塵リング６は、１群レンズ保持部材１５と外装部材２とに取り付けられ（詳しくは、１群ホルダ４とレンズフード２２とに取り付けられ）、１群レンズ保持部材１５と外装部材２との間の隙間を塞いでいる。この防塵リング６は可撓性を有するため、１群レンズ保持部材１５が外装部材２に対して光軸Ｘ方向へ相対移動する際に、その相対移動を阻害することがない。詳しくは、レンズ鏡筒１が広角撮影状態のときには、図４に示すように、可撓部６５が比較的撓んだ状態となり、レンズ鏡筒１が望遠撮影状態のときには、図６に示すように、防塵リング６の可撓部６５が比較的延びた状態となる。
【００２４】
このように構成された１群ホルダ４に、１群レンズ枠３が取り付けられる。詳しくは、１群レンズ枠３のフランジ３１と１群ホルダ４のフランジ４１とが重ね合わされた状態でネジ３４によりネジ止めされる。尚、フランジ３１とフランジ４１との間にはＯリング３８が挟持されている。
【００２５】
ここで、１群レンズ枠３を１群ホルダ４に取り付ける際には、１群レンズ枠３の取付精度が求められる。そのため、１群レンズ枠３及び１群ホルダ４には、１群レンズ枠３の、１群ホルダ４に対する位置を調整可能な位置調整機構７が設けられている。図７はレンズ鏡筒の分解斜視図であり、図８は位置調整機構の拡大図であり、図９は第１及び第２カムを示す図であって、（Ａ）は正面図で、（Ｂ）は下面図である。尚、図７においては、レンズフード２２や１群枠化粧リング１５ａを省略している。
【００２６】
位置調整機構７は、１群ホルダ４のフランジ４１の前面に設けられた、回転軸７１、第１カム７２及び第２カム７３と、１群レンズ枠３のフランジ３１に形成された、該回転軸７１と係合する支持孔８１、該第１カム７２と係合する第１カム孔８２及び該第２カム７３と係合する第２カム孔８３とで構成されている。この回転軸７１と支持孔８１とで支持部を構成する。
【００２７】
回転軸７１は、円柱状のピンであって、フランジ４１に設けられている。回転軸７１は、フランジ４１に形成された挿入孔に圧入されている。
【００２８】
第１カム７２は、図９に示すように、円柱状の軸部７２ａと、軸部７２ａの一端に設けられた本体部７２ｂとを有している。本体部７２ｂの中心は、軸部７２ａの軸心Ｙに対して偏心している。また、本体部７２ｂの先端には、六角星形の孔７２ｃが形成されている。この六角星形の孔７２ｃの軸心と軸部７２ａの軸心Ｙとは一致している。第１カム７２は、フランジ４１に形成された挿入孔に圧入されている。六角星形の孔７２ｃに専用の工具を差し込み、該工具を回すことによって、第１カム７２は軸部７２ａの軸心Ｙ（以下、回転中心Ｙともいう）を中心に回転する。このとき、本体部７２ｂは、軸部７２ａの回転中心Ｙに対して偏心回転する。
【００２９】
第１カム７２の形状を詳しく説明すると、軸部７２ａの回転中心Ｙに直交する平面で切断した本体部７２ｂの断面形状は、回転中心Ｙと本体部７２ｂの中心とを結ぶ直線（図９中の一点鎖線Ｚ）に対して線対称となっている。また、該断面形状において、任意の或る方向への本体部７２ｂの幅は、本体部７２ｂが偏心回転しても、略一定となっている。すなわち、図９において、本体部７２ｂが偏心回転する前と、本体部７２ｂが例えば時計回りに３０度だけ偏心回転した場合とで、例えば図９における上下方向への本体部７２ｂの幅はほとんど変わらない。さらに、本体部７２ｂの外周面には、後述するように１群レンズ枠３が当接することになるが、本体部７２ｂが偏心回転することによって１群レンズ枠３を移動させるリフト量は、本体部７２ｂの回転角度に略比例するように、本体部７２ｂの外周形状が形成されている。
【００３０】
第２カム７３は、第１カム７２と同様の形状をしている。すなわち、第２カム７３は、円柱状の軸部７３ａと、軸部７３ａの一端に設けられた本体部７３ｂとを有している。本体部７３ｂの中心は、軸部７３ａの軸心Ｙに対して偏心しており、本体部７３ｂの先端には、六角星形の孔７３ｃが形成されている。第２カム７３は、フランジ４１に形成された挿入孔に圧入されている。六角星形の孔７３ｃに専用の工具を差し込み、該工具を回すことによって、第２カム７３は軸部７３ａの軸心Ｙを中心に回転する。本体部７３ｂの形状は、上記第１カム７２の本体部７２ｂと同様の形状をしている。
【００３１】
回転軸７１と第２カム７３とは、図８に示すように、光軸Ｘ（詳しくは、１群ホルダ４の本体部４０の軸心）を挟んで相対向する位置に設けられている。そして、第１カム７２は、周方向において、回転軸７１と第２カム７３との略中間位置に設けられている。尚、回転軸７１と光軸Ｘと第２カム７３とが一直線上に並んでいることが好ましい。また、回転軸７１と光軸Ｘとを結ぶ直線と、第１カム７２と光軸Ｘとを結ぶ直線とのなす角が９０度となっている（すなわち、第２カム７３と光軸Ｘとを結ぶ直線と、第１カム７２と光軸Ｘとを結ぶ直線とのなす角が９０度となっている）ことが好ましい。
【００３２】
一方、１群レンズ枠３のフランジ３１には、これら回転軸７１、第１カム７２及び第２カム７３に対応する位置にそれぞれ、支持孔８１、第１カム孔８２及び第２カム孔８３がフランジ３１の厚さ方向に貫通形成されている。すなわち、支持孔８１と第２カム孔８３とは、光軸Ｘ（詳しくは、１群レンズ枠３の本体部３０の軸心）を挟んで相対向する位置に設けられている。そして、第１カム孔８２は、周方向において、支持孔８１と第２カム孔８３との略中間位置に設けられている。尚、支持孔８１と光軸Ｘと第２カム孔８３とが一直線上に並んでいることが好ましい。また、支持孔８１と光軸Ｘとを結ぶ直線と、第１カム孔８２と光軸Ｘとを結ぶ直線とのなす角が９０度となっている（すなわち、第２カム孔８３と光軸Ｘとを結ぶ直線と、第１カム孔８２と光軸Ｘとを結ぶ直線とのなす角が９０度となっている）ことが好ましい。
【００３３】
ここで、支持孔８１は、相対向する平行な２つの側面８１ａ，８１ｂを有する長孔であって、２つの側面８１ａ，８１ｂの間隔は、回転軸７１の外径と一致している。支持孔８１は、支持孔８１と第２カム孔８３とを結ぶ方向、即ち、回転軸７１と第２カム７３とを結ぶ方向に延びている。
【００３４】
第１カム孔８２は、相対向する平行な２つの側面８２ａ，８２ｂを有する長孔であって、２つの側面８２ａ，８２ｂの間隔は、第１カム７２の本体部７２ｂの幅よりも若干大きくなっている。第１カム孔８２は、支持孔８１と平行に延びている。すなわち、第１カム孔８２は、支持孔８１と第２カム孔８３とを結ぶ方向と平行に、即ち、回転軸７１と第２カム７３とを結ぶ方向と平行に延びている。
【００３５】
第２カム孔８３は、相対向する平行な２つの側面８３ａ，８３ｂを有する長孔であって、２つの側面８３ａ，８３ｂの間隔は、第２カム７３の本体部７３ｂの幅よりも若干大きくなっている。第２カム孔８３は、支持孔８１と第２カム孔８３とを結ぶ直線に直交する方向、即ち、回転軸７１と第２カム７３とを結ぶ直線に直交する方向に延びている。
【００３６】
このように構成された支持孔８１、第１カム孔８２及び第２カム孔８３には、１群レンズ枠３を１群ホルダ４に取り付けることで、回転軸７１、第１カム７２及び第２カム７３がそれぞれ嵌り込むようになっている。このとき、第１カム７２は第１カム孔８２の内側の側面８２ａに当接し、第２カム７３は第２カム孔８３の内側の側面８３ａに当接するようになっている。この第１カム孔８２の内側の側面８２ａが第１当接面を構成し、第２カム孔８３の内側の側面８３ａが第２当接面を構成する。
【００３７】
１群レンズ枠３の１群ホルダ４への取付は、ネジ３４と板バネ３５によって行われる。１群レンズ枠３のフランジ３１と１群ホルダ４のフランジ４１とを重ね合わせた状態で、ネジ３４が、フランジ３１の貫通孔３２に挿通され、フランジ４１のネジ孔４２にねじ込まれる。このとき、ネジ３４の頭とフランジ３１との前面との間には板バネ３５が挟持されている。
【００３８】
板バネ３５は、ネジ３４が貫通するネジ押さえ部３５ａとネジ押さえ部３５ａから延びる２本の脚部３５ｂ，３５ｂとを有している。各脚部３５ｂには、フランジ３１の前面に設けられた位置決めピン３６が嵌る位置決め孔３５ｃが形成されている。さらに詳しくは、一方の脚部３５ｂの位置決め孔３５ｃは、位置決めピン３６と同様の円形状をしており、他方の脚部３５ｂの位置決め孔３５ｃは、位置決めピン３６が嵌る程度の幅を有する長孔形状をしている。ネジ押さえ部３５ａは、脚部３５ｂ，３５ｂの先端部よりも前側に突出している。まず、このように構成された板バネ３５を、位置決め孔３５ｃ，３５ｃが位置決めピン３６，３６に嵌るようにしてフランジ３１の前面に設置する。そして、ネジ３４をネジ押さえ部３５ａの貫通孔及びフランジ３１の貫通孔３２に挿通し、フランジ４１のネジ孔４２に螺合させる。この状態からネジ３４を締め付けると、板バネ３５のネジ押さえ部３５ａがフランジ３１に近接していき、板バネ３５の脚部３５ｂ，３５ｂの弾性力によってフランジ３１がフランジ４１に押圧される。このとき、脚部３５ｂに形成された一方の位置決め孔３５ｃが長孔形状に形成されているため、一方の脚部３５ｂが位置決め孔３５ｃと位置決めピン３６との係合を維持したままスライドすることによって、ネジ押さえ部３５ａが押圧されることによる板バネ３５の変形を吸収することができる。こうして、板バネ３５の弾性力によってフランジ３１をフランジ４１に仮止めした状態で、１群レンズ枠３の取付位置を位置調整機構７により調整する。
【００３９】
詳しくは、レンズ鏡筒１内に、１群レンズ１１〜４群レンズ１４を組み込んだ状態において、レンズ鏡筒１の光軸Ｘのずれ量を光学的に求め、さらに、１群レンズ枠３の位置調整量を求める。１群レンズ枠３の位置調整量としては、回転軸７１を中心とした回転方向（図８中の矢印Ａの方向。以下、単に「Ａ方向」ともいう。）への１群レンズ枠３の調整量と、回転軸７１と第２カム７３とを結ぶ方向（図８中の矢印Ｂの方向。以下、単に「Ｂ方向」ともいう。）への１群レンズ枠３の調整量とが求められる。
【００４０】
そして、１群レンズ枠３のＡ方向への調整量に応じて、第１カム７２を回転操作する。第１カム７２を回転させると、本体部７２ｂが偏心回転する。本体部７２ｂには第１カム孔８２が係合しているため、本体部７２ｂの偏心回転に応じて１群レンズ枠３が移動する。詳しくは、本体部７２ｂは第１カム孔８２の半径方向内側の側面８２ａに当接しており且つ、該側面８２ａは第１カム７２と光軸Ｘとを結ぶ直線に直交しているため、第１カム孔８２の側面８２ａは、偏心回転する本体部７２ｂによって第１カム７２と光軸Ｘとを結ぶ方向に押圧される。ここで、支持孔８１が回転軸７１に係合し且つ第２カム孔８３が第２カム７３に係合しているため、１群レンズ枠３は、これら支持孔８１及び回転軸７１と、第２カム孔８３及び第２カム７３とに規制された状態で移動する。詳しくは、第２カム孔８３が回転軸７１と第２カム７３とを結ぶ直線に直交する方向、即ち、第１カム７２と光軸Ｘとを結ぶ方向に延びていると共に、回転軸７１が円柱状であるため、本体部７２ｂにより第１カム７２と光軸Ｘとを結ぶ方向に押圧された１群レンズ枠３は、回転軸７１を中心に第１カム７２と光軸Ｘとを結ぶ方向、即ち、Ａ方向へ回転移動する。こうして、第１カム７２を回転操作することによって、１群レンズ枠３のＡ方向の位置を調整することができる。
【００４１】
ここで、第１カム７２の本体部７２ｂの外周形状は、上述の如く、第１カム７２の回転角度に対する、１群レンズ枠３を移動させるリフト量が略比例するように形成されている。そのため、第１カム７２の回転量に応じた量だけ１群レンズ枠３がＡ方向へ移動するため、１群レンズ枠３のＡ方向への位置調整が容易になる。
【００４２】
次に、１群レンズ枠３のＢ方向への調整量に応じて、第２カム７３を回転操作する。第２カム７３を回転させると、本体部７３ｂが偏心回転する。本体部７３ｂには、第２カム孔８３が係合しているため、本体部７３ｂの偏心回転に応じて１群レンズ枠３が移動する。詳しくは、本体部７３ｂは第２カム孔８３の半径方向内側の側面８３ａに当接しており且つ、該側面８３ａは第２カム７３と光軸Ｘとを結ぶ直線に直交しているため、第２カム孔８３の側面８３ａは、偏心回転する本体部７３ｂによって第２カム７３と光軸Ｘとを結ぶ方向に押圧される。ここで、支持孔８１が回転軸７１に係合し且つ第１カム孔８２が第１カム７２に係合しているため、１群レンズ枠３は、これら支持孔８１及び回転軸７１と、第１カム孔８２及び第１カム７２とに規制された状態で移動する。詳しくは、支持孔８１が回転軸７１と第２カム７３とを結ぶ方向に延びていると共に、第１カム孔８２が回転軸７１と第２カム７３とを結ぶ方向に延びているため、本体部７３ｂにより第２カム７３と光軸Ｘとを結ぶ方向に押圧された１群レンズ枠３は、第２カム７３と光軸Ｘとを結ぶ方向、即ち、Ｂ方向へ直進移動する。こうして、第２カム７３を回転操作することによって、１群レンズ枠３のＢ方向の位置を調整することができる。
【００４３】
このように、第１カム７２及び第２カム７３を回転操作することによって、１群レンズ枠３のＡ方向及びＢ方向への位置を調整し、レンズ鏡筒１の光軸を調整することができる。
【００４４】
１群レンズ枠３の位置調整が完了すると、ネジ３４を最後まで締め付けて、フランジ３１をネジ３４によりフランジ４１に固定する。さらに、最終的には、図１に示すように、１群枠化粧リング１５ａを１群レンズ枠３の前面に取り付け、ネジ３４や板バネ３５や位置調整機構７が前方から見えないようにする。ただし、図３，８では、１群枠化粧リング１５ａの図示を省略している。
【００４５】
したがって、本実施形態によれば、１群ホルダ４に設けた回転軸７１を１群レンズ枠３に形成した長孔状の支持孔８１に係合させることによって、１群レンズ枠３を１群ホルダ４に対して、光軸Ｘに直交する平面内において、支持孔８１の延びる方向へ進退自在に且つ、回転軸７１回りに回転自在に支持することができる。そして、１群ホルダ４に設けた第１カム７２及び第２カム７３をそれぞれ１群レンズ枠３の、光軸Ｘと平行な側面に当接させることによって、該第１カム７２及び第２カム７３を回転操作することで、１群レンズ枠３を光軸Ｘに直交する平面内で移動させることができる。このとき、１群レンズ枠３は、回転軸７１、第１カム７２及び第２カム７３の３点で支持されているため、１群レンズ枠３の位置を安定して決めることができる。このように、第１カム７２及び第２カム７３は、１群レンズ枠３を移動させる押圧手段として機能すると共に、１群レンズ枠３を支持する支持手段としても機能する。その結果、１群レンズ枠３の位置を調整する位置調整機構７を簡易な構成で実現することができる。
【００４６】
また、第１カム孔８２の延びる方向（即ち、長孔が延びる方向）を支持孔８１の延びる方向（即ち、長孔が延びる方向）と平行に、詳しくは、第１カム孔８２の側面８２ａを支持孔８１の延びる方向と平行に形成することによって、第２カム７３を回転操作したときに、１群レンズ枠３を支持孔８１が延びる方向へ進退移動させることができる。例えば、１群レンズ枠３を回転させながら進退移動させると、１群レンズ枠３の位置の算出が煩雑となるが、１群レンズ枠３を進退移動だけさせる場合には、１群レンズ枠３の位置を容易に求めることができる。その結果、１群レンズ枠３の位置を容易に調整することができる。
【００４７】
さらに、第２カム孔８３の延びる方向（即ち、長孔が延びる方向）を、回転軸７１と第２カム７３とを結ぶ方向に対して直交させる、即ち、第２カム孔８３の側面８３ａを回転軸７１と第２カム７３とを結ぶ方向に対して直交させることによって、第１カム７２を回転操作したときに、１群レンズ枠３を回転軸７１を中心に第２カム孔８３の延びる方向へ回転させることができる。このように、１群レンズ枠３を回転移動だけさせることによって、１群レンズ枠３の位置を容易に求めることができる。その結果、１群レンズ枠３の位置を容易に調整することができる。
【００４８】
つまり、回転軸７１、第１カム７２、第２カム７３、支持孔８１、第１カム孔８２及び第２カム孔８３の配置、並びに支持孔８１、第１カム孔８２及び第２カム孔８３の形状を本実施形態のように構成することによって、第１カム７２及び第２カム７３をそれぞれ回転操作したときの１群レンズ枠３の移動態様を単純にすることができ、１群レンズ枠３の位置を容易に調整することができる。
【００４９】
さらに、回転軸７１及び支持孔８１と、第２カム７３及び第２カム孔８３とを光軸Ｘを挟んで対向する位置に設け、第１カム７２及び第１カム孔８２を光軸Ｘ回りの周方向において回転軸７１及び支持孔８１と、第２カム７３及び第２カム孔８３との中間位置に設けると共に、支持孔８１及び第１カム孔８２を支持孔８１と第２カム孔８３とを結ぶ方向（即ち、回転軸７１と第２カム７３とを結ぶ方向）に延びるように形成し且つ、第２カム孔８３を支持孔８１と第２カム孔８３とを結ぶ方向（即ち、回転軸７１と第２カム７３とを結ぶ方向）に直交する方向に延びるように形成することによって、第１カム７２及び第２カム７３を回転操作することで、１群レンズ枠３を光軸Ｘにおいて直交する２つの方向、即ち、Ａ方向とＢ方向とに移動させることができる。こうして、１群レンズ枠３を、光軸Ｘに直交する平面内で直交する２つの方向に移動させることによって、１群レンズ枠３を該平面上の任意の位置に容易に移動させることができる。
【００５０】
ここで、１群レンズ枠３のＡ方向への移動量は、回転軸７１と光軸Ｘとの距離（即ち、１群レンズ枠３の回転半径）に比べて微小にできるため、１群レンズ枠３のＡ方向への移動を直線に近似することができる。その結果、１群レンズ枠３の調整量をより簡単に求めることができる。
【００５１】
また、回転軸７１及び支持孔８１と、第２カム７３及び第２カム孔８３とを光軸Ｘを挟んで対向する位置に設けることによって、第２カム孔８３の第２カム７３に対する移動量を回転軸７１と第２カム７３との距離（即ち、回転半径）に対して微小にすることができる。そのため、第２カム孔８３の第２カム７３に対する移動を直線に近似することができ、第２カム孔８３を直線状の長孔に形成することができる。その結果、第２カム孔８３の形成を容易に行うことができる。
【００５２】
また、第１カム７２及び第２カム７３を偏心ピンで構成することによって、回転操作という簡単な操作で、１群レンズ枠３の位置を調整することができる。さらに、第１カム７２及び第２カム７３を、それらの軸心Ｙが光軸Ｘと平行になるように配設することによって、レンズ鏡筒１に対して前後方向に工具を挿入して第１カム７２及び第２カム７３を回転操作することができる。つまり、外装部材２を取り付けた状態で、１群レンズ枠３の位置調整を行うことができる。
【００５３】
《その他の実施形態》
本発明は、上記実施形態について、以下のような構成としてもよい。
【００５４】
上記実施形態では、第１レンズ枠３の取付位置を位置調整機構７で調整しているが、これに限られるものではない。例えば、２群〜４群レンズ１２〜１４の何れかを枠体等のレンズ取付部材に取り付け、該レンズ取付部材を筒状体等の基材に取り付ける構成において、該レンズ取付部材の取付位置を位置調整機構７で調整するようにしてもよい。すなわち、位置調整機構は、１群レンズ１１に関する取付位置を調整するものに限られない。
【００５５】
また、上記実施形態では、レンズ鏡筒１の光軸のずれ量を光学的に測定して、１群レンズ枠３の位置調整量を求めているが、これに限られるものではない。例えば、１群レンズ枠３の側面に形成した基準面と、１群ホルダ４の側面に形成した基準面との位置をダイヤルゲージ等で機械的に測定して、両者の位置関係に基づいて１群レンズ枠３の位置調整量を求める構成であってもよい。かかる構成の場合、１群レンズ枠３が１群ホルダ４に対して精度よく取り付けられることになる。
【００５６】
さらに、回転軸７１、第１カム７２、第２カム７３、支持孔８１、第１カム孔８２及び第２カム孔８３の配置及び形状は上記の構成に限られるものではない。
【００５７】
例えば、支持孔８１、第１カム孔８２及び第２カム孔８３は長孔に形成されているが、直線状の長孔でなくてもよい。支持孔８１が、曲線状に延びる長孔の場合、１群レンズ枠３は、回転軸７１に回りに回転自在に且つ支持孔８１に沿って曲線状に進退自在に支持されることになる。また、１群レンズ枠３の移動量は回転軸７１と第２カム７３の距離よりも微小であるため、第２カム孔８３を直線状の長孔に形成しているが、第２カム孔８３を回転軸７１を中心とする円弧状の長孔に形成してもよい。
【００５８】
また、第１カム孔８２及び第２カム孔８３の幅は、第１カム７２及び第２カム７３の幅よりも少し大きくしているが、これに限られるものではない。すなわち、第１カム孔８２及び第２カム孔８３の幅を、第１カム７２及び第２カム７３の幅と一致させてもよい。しかし、この場合、第１カム７２及び第２カム７３をそれぞれ、第１カム孔８２及び第２カム孔８３に軽圧入しなければならない。第１カム孔８２及び第２カム孔８３に軽圧入する構成の場合、第１カム７２及び第２カム７３を回転操作して１群レンズ枠３を移動させる際にヒステリシスが生じてしまう。そのため、この点においては、第１カム孔８２及び第２カム孔８３の幅を第１カム７２及び第２カム７３の幅よりも少し大きくして、第１カム７２及び第２カム７３を、第１カム孔８２の内側の側面８２ａ及び第２カム孔８３の内側の側面８３ａのように、一方の側面に常に当接させる構成の方が好ましい。
【００５９】
さらに、第１カム７２及び第２カム７３の形状は上記の形状に限られるものではない。回転操作されることで１群レンズ枠３を移動させることができる形状であれば、任意の形状を採用することができる。
【００６０】
さらにまた、第１カム７２及び第２カム７３は、偏心ピンで構成されているが、これに限られるものではない。第１カム７２及び第２カム７３は、頭部が軸部に対して偏心して設けられたネジで構成されていてもよい。その場合、軸部の先端側にだけネジを形成し、頭部が設けられた基端側は円柱状に形成すると共に、１群ホルダ４には、軸部のネジが螺合するネジ穴と円柱状の基端部が嵌合する位置決め孔を形成する。こうすることで、第１カム７２及び第２カム７３をネジで構成する場合であっても、第１カム７２及び第２カムの位置精度を確保することができる。
【００６１】
また、上記実施形態では、回転軸７１が１群ホルダ４に設けられ、支持孔８１が１群レンズ枠３に形成されているが、回転軸７１を１群レンズ枠３に設け、支持孔８１を１群ホルダ４に形成してもよい。
【００６２】
さらに、第１カム７２及び第２カム７３は、第１カム孔８２や第２カム孔８３のような孔に係合する必要はない。例えば、第１カム７２及び第２カム７３は、単に１群レンズ枠３の側周面に当接する構成であってもよい。すなわち、第１カム７２及び第２カム７３は、１群レンズ枠３を光軸Ｘに直交する平面内で移動させるように１群レンズ枠３を押圧できる構成であれば、任意の構成を採用することができる。
【００６３】
尚、以上の実施形態は、本質的に好ましい例示であって、本発明、その適用物、あるいはその用途の範囲を制限することを意図するものではない。
【産業上の利用可能性】
【００６４】
以上説明したように、本発明は、レンズが取り付けられるレンズ取付部材と、上記レンズ取付部材が取り付けられる基材とを備えたレンズ鏡筒について有用である。
【符号の説明】
【００６５】
Ｘ      光軸
１      レンズ鏡筒
３      １群レンズ枠（レンズ取付部材）
４      １群ホルダ（基材）
７      位置調整機構
７１    回転軸（支持部）
７２    第１カム
７３    第２カム
８１    支持孔（支持部）
【図１】
2010256567.tif 000003
【図２】
2010256567.tif 000004
【図３】
2010256567.tif 000005
【図４】
2010256567.tif 000006
【図５】
2010256567.tif 000007
【図６】
2010256567.tif 000008
【図７】
2010256567.tif 000009
【図８】
2010256567.tif 000010
【図９】
2010256567.tif 000011